(57)【要約】【課題】  長期入院患者や寝たきり老人等に床ずれが生じるのを確実に防止できる床ずれ防止用吸引器を提供する。【解決手段】  一端２ａが閉塞されかつ水平方向に設置される柔軟な幹パイプ２、及び、一端３ａが閉塞され、幹パイプ２の長手方向に対して直角方向となりかつ幹パイプ２の長手方向に沿って並べるようにして他端３ｂが幹パイプ２の外周面２ｃの一側部に接続されると共に、外周面３ｃの上側に複数の吸気孔８を有する柔軟な複数の枝パイプ３からなる吸引器本体４と、幹パイプ２の他端２ｂに接続されかつ枝パイプ３の周囲の空気１０を吸気孔８から枝パイプ３内へ吸引する吸気装置５と、を備えた。【選択図】      図１ 
2005177371.tif 000002
【特許請求の範囲】
【請求項１】
一端が閉塞されかつ水平方向に設置される柔軟な幹パイプ、及び、一端が閉塞され、前記幹パイプの長手方向に対して直角方向となりかつ前記幹パイプの長手方向に沿って並べるようにして他端が前記幹パイプの外周面の一側部に接続されると共に、外周面の上側に複数の吸気孔を有する柔軟な複数の枝パイプからなる吸引器本体と、
前記幹パイプの他端に接続されかつ前記枝パイプの周囲の空気を前記吸気孔から前記枝パイプ内へ吸引する吸気装置と、
を備えたことを特徴とする床ずれ防止用吸引器。
【請求項２】
扁平に形成されかつ上面部に複数の吸気孔を有する袋体、及び、この袋体内に収容された通気性を有するクッション材からなる吸引器本体と、
前記袋体の側部に接続されかつ前記袋体の周囲の空気を前記吸気孔から前記袋体内へ吸引する吸気装置と、
を備えたことを特徴とする床ずれ防止用吸引器。
【請求項３】
前記吸気装置に前記吸引した空気の除菌又は殺菌が可能な除菌・殺菌手段を設けた請求項１又は２記載の床ずれ防止用吸引器。
【発明の詳細な説明】
【技術分野】
【０００１】
本発明は、長期入院患者や寝たきり老人等に床ずれ〔褥瘡（じょくそう）〕が生じるのを防止する床ずれ防止用吸引器に関するものである。
【背景技術】
【０００２】
従来のこの種の技術としては、長期入院患者や寝たきり老人等の下にその体圧を分散させるために敷かれる各種のベッドマット（マットレス）が知られている（例えば、特許文献１及び特許文献２参照。）。このようなベッドマットは、エアーマット、ウォーターマット、シリコンマット、ジェルマット、ウレタンフォームマット等に大別される。
【特許文献１】特開平１０−１４９９２号公報（第２−４頁，図１，図９等）
【特許文献２】特開２００２−３１５７９６号公報（第２−６頁，図１，図２等）
【発明の開示】
【発明が解決しようとする課題】
【０００３】
しかしながら、上記のようなベッドマットでは蒸れが生じるので、長期入院患者や寝たきり老人等に床ずれが生じることが多いという問題点がある。
【０００４】
本発明は、以上のような問題点に鑑みてなされたものであり、長期入院患者や寝たきり老人等に床ずれが生じるのを確実に防止できる床ずれ防止用吸引器を提供することを目的とする。
【課題を解決するための手段】
【０００５】
上記目的を達成するための請求項１の発明は、一端が閉塞されかつ水平方向に設置される柔軟な幹パイプ、及び、一端が閉塞され、前記幹パイプの長手方向に対して直角方向となりかつ前記幹パイプの長手方向に沿って並べるようにして他端が前記幹パイプの外周面の一側部に接続されると共に、外周面の上側に複数の吸気孔を有する柔軟な複数の枝パイプからなる吸引器本体と、前記幹パイプの他端に接続されかつ前記枝パイプの周囲の空気を前記吸気孔から前記枝パイプ内へ吸引する吸気装置と、を備えたものである。
【０００６】
請求項２の発明は、扁平に形成されかつ上面部に複数の吸気孔を有する袋体、及び、この袋体内に収容された通気性を有するクッション材からなる吸引器本体と、前記袋体の側部に接続されかつ前記袋体の周囲の空気を前記吸気孔から前記袋体内へ吸引する吸気装置と、を備えたものである。
【０００７】
請求項３の発明は、前記吸気装置に前記吸引した空気の除菌又は殺菌が可能な除菌・殺菌手段を設けたものである。
【発明の効果】
【０００８】
請求項１及び請求項２の発明によれば、吸引器本体の上に設置されたベッドマット等に蒸れが生じることがなく、そのベッドマット等の上に寝る者に床ずれが生じるのを確実に防止することができる。
【０００９】
請求項３の発明によれば、除菌又は殺菌済みの空気を吸気装置から外部空間へ排出できるので、ウィルス感染防止や吸引した空気の無臭化を図ることができる。
【発明を実施するための最良の形態】
【００１０】
以下、本発明の実施形態を図面に基づいて説明する。
第１実施形態に係る床ずれ防止用吸引器１は、図１に示すように、幹パイプ２及び複数の枝パイプ３からなる吸引器本体４と、吸気装置５とを備えたものである。
【００１１】
幹パイプ２は、軟質ポリ塩化ビニル等で構成されて柔軟性を有しており、その一端２ａが適宜の閉塞手段により閉塞されている。幹パイプ２及び複数の枝パイプ３からなる吸引器本体４は、図２に示すように、ベッドマット６、床、又は畳等の上に幹パイプ２の長手方向及び枝パイプ３の長手方向がいずれも水平方向となるように設置される。吸引器本体４の上にはベッドマット７、ベッドパッド、又は敷き布団等が設置されるが、蒸れが生じるのを防止するためには通気性を有するベッドマット等の通気性敷き部材を設置すればよい。
【００１２】
枝パイプ３は、軟質ポリ塩化ビニル等で構成されて柔軟性を有しており、その一端３ａが適宜の閉塞手段により閉塞されている。この枝パイプ３は、図１に示すように、幹パイプ２の長手方向に対して直角方向となりかつ幹パイプ２の長手方向に沿って並べるようにして他端３ｂが幹パイプ２の外周面２ｃの一側部に接続されている。また、図３及び図４に示すように、枝パイプ３の外周面３ｃの上側には複数の吸気孔８が形成されている。なお、この実施形態では枝パイプ３を互いに間隔を開けて接続しているが、これに限定されるものではなく、互いに接触した状態で接続してもよい。
【００１３】
吸気装置５は、図１のように接続パイプ９を介して幹パイプ２の他端２ｂに接続されており、図４のように枝パイプ３の周囲の空気１０を吸気孔８から枝パイプ３内へ吸引できるようになっている。
【００１４】
上記のように構成された床ずれ防止用吸引器１の使用に際して吸気装置５を作動させれば、接続パイプ９内、幹パイプ２内、及び枝パイプ３内が負圧となるので、枝パイプ３の周囲（主に上側）の空気１０が吸気孔８から枝パイプ３内へ吸引され、幹パイプ２内及び接続パイプ９内を通って吸気装置５から外部空間１１へ排出される。そのため、吸引器本体４の上に設置されたベッドマット７等に蒸れが生じることがなく、そのベッドマット７等の上に寝る者（長期入院患者や寝たきり老人等）に床ずれが生じるのを確実に防止できるという利点がある。
【００１５】
第２実施形態に係る床ずれ防止用吸引器２１は、図５に示すように、袋体２２及びクッション材２３からなる吸引器本体２４と、吸気装置５とを備えたものである。
【００１６】
袋体２２は、軟質ポリ塩化ビニル等で扁平に構成されて柔軟性を有しており、上面部２２ａに複数の吸気孔８が形成されている。この袋体２２の側部２２ｃ又は下面部２２ｂ等にはファスナ等により開閉可能な開口部（図示せず）が設けられており、クッション材２３を出し入れできるようになっている。
【００１７】
クッション材２３は、連続気泡を有するウレタンフォーム等で例えば矩形板状に構成されて通気性及びクッション性を有しており、袋体２２内に収容されている。
【００１８】
袋体２２及びクッション材２３からなる吸引器本体２４は、図６に示すように、第１実施形態と同様のベッドマット６、床、又は畳等の上に面方向が水平方向となるように設置される。また、蒸れが生じるのを防止するためには吸引器本体２４の上にベッドマット７等の通気性敷き部材を設置すればよいのも第１実施形態と同様である。
【００１９】
吸気装置５は、接続パイプ９を介して袋体２２の側部２２ｃに接続されており、図６及び図７のように袋体２２の周囲の空気１０を吸気孔８から袋体２２内へ吸引できるようになっている。
【００２０】
上記のように構成された床ずれ防止用吸引器２１の使用に際して吸気装置５を作動させれば、接続パイプ９内及び袋体２２内が負圧となるので、袋体２２の周囲（主に上側）の空気１０が吸気孔８から袋体２２内へ吸引され、クッション材２３内を通って吸気装置５から外部空間１１へ排出される。そのため、吸引器本体２４の上に設置されたベッドマット７等に蒸れが生じることがなく、そのベッドマット７等の上に寝る者に床ずれが生じるのを確実に防止できるという利点がある。
【００２１】
なお、第１及び第２実施形態において、吸気孔８から枝パイプ３内又は袋体２２内へ吸引した空気１０の除菌又は殺菌が可能な除菌・殺菌手段を吸気装置５に設けておけば、除菌又は殺菌済みの空気を吸気装置５から外部空間１１へ排出できるので、ウィルス感染防止や吸引した空気１０の無臭化を図ることができるという利点がある。除菌・殺菌手段としては、除菌イオン発生手段、光触媒を用いた除菌手段、オゾン発生手段等が挙げられる。
【００２２】
また、吸引器本体４，２４をエアーマット等の非通気性敷き部材の上に固定して吸引器本体４，２４と非通気性敷き部材とを一体化しておけば、非通気性敷き部材の上に寝る場合でも蒸れが生じるのを防止できるので、非通気性敷き部材の上に寝る者に床ずれが生じるのを防止できるという利点がある。更に、吸引器本体４，２４をベッドマット７等の通気性敷き部材の上に固定し、吸引器本体４、２４と通気性敷き部材とを一体化しておいてもよい。
【産業上の利用可能性】
【００２３】
以上のように、本発明に係る床ずれ防止用吸引器は、長期入院患者や寝たきり老人等に床ずれが生じるのを確実に防止する吸引器として有用である。
【図面の簡単な説明】
【００２４】
【図１】第１実施形態に係る床ずれ防止用吸引器の概略平面図。
【図２】図１の概略正面図。
【図３】枝パイプの要部拡大平面図。
【図４】枝パイプの周囲の空気を吸気孔から内部に吸引する様子を示す要部拡大縦断面図。
【図５】第２実施形態に係る床ずれ防止用吸引器の概略平面図。
【図６】図５の概略正面図。
【図７】袋体の周囲の空気を吸気孔から内部に吸引する様子を示す要部拡大縦断面図。
【符号の説明】
【００２５】
１  床ずれ防止用吸引器
２  幹パイプ
２ａ  一端
２ｂ  他端
２ｃ  外周面
３  枝パイプ
３ａ  一端
３ｂ  他端
３ｃ  外周面
４  吸引器本体
５  吸気装置
８  吸気孔
１０  空気
２１  床ずれ防止用吸引器
２２  袋体
２２ａ  上面部
２２ｃ  側部
２３  クッション材
２４  吸引器本体
【図１】
2005177371.tif 000003
【図２】
2005177371.tif 000004
【図３】
2005177371.tif 000005
【図４】
2005177371.tif 000006
【図５】
2005177371.tif 000007
【図６】
2005177371.tif 000008
【図７】
2005177371.tif 000009